(57)【要約】【課題】組立が容易で且つ作業性の向上および製造コストの低減を図ることができるコンパクトな魚釣用スピニングリールの提供を目的としている。【解決手段】本発明は、ハンドル５の回転に連動回転するピニオン１３を一方に有する回転軸筒６２の他方に釣糸案内部１５を有するロータ８を締結部材３０で螺合固定すると共に、先端部にスプール１０を有するスプール軸９を回転軸筒６２内に前後移動可能に挿通し、締結部材３０に収容支持した軸受３４でスプール軸９を支持してなる魚釣用スピニングリール１において、締結部材３０に弾性的に装着固定される係止部材４５で軸受３４を締結部材３０に抜け止めしたことを特徴とする。【選択図】    図１
2004222579.tif 000002
【特許請求の範囲】
【請求項１】
ハンドルの回転に連動回転するピニオンを一方に有する回転軸筒の他方に釣糸案内部を有するロータを締結部材で螺合固定すると共に、先端部にスプールを有するスプール軸を前記回転軸筒内に前後移動可能に挿通し、前記締結部材に収容支持した軸受で前記スプール軸を支持してなる魚釣用スピニングリールにおいて、
前記締結部材に弾性的に装着固定される係止部材で前記軸受を締結部材に抜け止めしたことを特徴とする魚釣用スピニングリール。
【発明の詳細な説明】
【０００１】
【発明の属する技術分野】
本発明は、釣糸案内部を有するロータを、リール本体の巻取り駆動機構に連結されたハンドルの回転操作で回転させることにより、スプールに釣糸を巻回する魚釣用スピニングリールの改良に関する。
【０００２】
【従来の技術】
一般に、魚釣用スピニングリールは、リール本体と、リール本体から延出する脚部と、脚部の端部に形成されて釣竿に取り付けられる竿取付部とを有している。前記リール本体内には、ハンドルが固定されるハンドル軸が回転可能に支持されている。また、ハンドル軸にはドライブギアが固定されており、このドライブギアにはピニオンギアが噛合している。ピニオンギアは、ハンドル軸に対して直交する方向に延び且つリール本体に回転可能に支持された軸筒の基端部外周に形成されており、前記軸筒の先端部にはロータが一体的に取り付けられ、ハンドル軸と直交する方向に延在するスプール軸が前記軸筒を貫通している。また、スプール軸の先端部には釣糸が巻回されるスプールが取り付けられている。スプール軸は、前記軸筒と同心的に配されており、ハンドルからの回転力をスプール軸の前後動に変換するスプール往復動機構（オシレーティング機構）を介して、ハンドル軸と直交する方向に沿って前後動できる。
【０００３】
このように、魚釣用スピニングリールは、ロータが回転されながらスプール軸が前後動され、ロータの釣糸案内部を介してスプールに釣糸が巻き取られる構成であり、しかも、この巻取り操作時には、スプールに巻回される釣糸を介してスプール軸に負荷が加わる。そのため、ロータと一体回転する軸筒の内周面と、軸筒内を前後動するスプール軸の外周面とに、回転と前後動の両方向の摩擦抵抗が加わることになり、その結果、軽快な巻取り操作ができないとともに、摩耗し易く、案内性（回転および前後動の案内性）の面で劣るという問題を有している。したがって、前記軸筒の前方のロータとスプール軸の外周との間にころがり軸受を設けて、巻取り回転時の摩擦抵抗を少なくする技術が従来から知られている（例えば、特許文献１および特許文献２参照）。
【０００４】
【特許文献１】
実開昭４８−５９６９１号公報（第１図）
【０００５】
【特許文献２】
特開２０００−８３５３３号公報（第６図）
【０００６】
【発明が解決しようとする課題】
ところで、前記特許文献１では、前記軸筒の前部にロータを取り付けるためのナットが螺合固定され、このナットの前部の内側に形成された凹部にころがり軸受が収容されている。そして、このナットにネジで止められるカバーにより、ころがり軸受がナットに抜け止めされるようになっている。そのため、カバーを止める前記ネジの頭部をナットの外周より内側に配置する制約上、その分、ナットが大型化するとともに、ナットへのネジ加工によりコストアップを招く。
【０００７】
一方、前記特許文献２では、ナットの前部の内側に形成された凹部にころがり軸受が収容され、ロータの前面にネジで固定されるプレートにより、シール材を介して、ナット内のころがり軸受が抜け止めされる。しかも、このような抜け止めは、リール本体に対するロータの組み込み工程中に行なわれる。そのため、作業中にころがり軸受が脱落してしまったり、ネジ止め工程が必要となって手間がかかる等、作業性が悪く、製造コストも高くなる。
【０００８】
本発明は前記事情に着目してなされたものであり、その目的とするところは、組立が容易で且つ作業性の向上および製造コストの低減を図ることができるコンパクトな魚釣用スピニングリールを提供することにある。
【０００９】
【課題を解決するための手段】
前記課題を解決するために、本発明は、ハンドルの回転に連動回転するピニオンを一方に有する回転軸筒の他方に釣糸案内部を有するロータを締結部材で螺合固定すると共に、先端部にスプールを有するスプール軸を前記回転軸筒内に前後移動可能に挿通し、前記締結部材に収容支持した軸受で前記スプール軸を支持してなる魚釣用スピニングリールにおいて、前記締結部材に弾性的に装着固定される係止部材で前記軸受を締結部材に抜け止めしたことを特徴とする。
【００１０】
【発明の実施の形態】
以下、図面を参照しつつ本発明の一実施形態について説明する。
【００１１】
図１〜図４は本発明の第１の実施形態を示している。これらの図に示されるように、本実施形態の魚釣用スピニングリール１は、リール本体１ａと、リール本体１ａから延出する脚部１ｂと、脚部１ｂの端部に形成され且つ釣竿に取り付けられる竿取付部１ｃとを有している。リール本体１ａ内には、スプールに釣糸を巻回するための巻取駆動機構が設けられている。具体的には、ハンドル５が固定されるハンドル軸２がリール本体１ａ内に回転可能に支持されている。ハンドル軸２にはドライブギア３が固定されており、このドライブギア３にはピニオンギア１３が噛合している。
【００１２】
ピニオンギア１３は、ハンドル軸２に対して直交する方向に延び且つリール本体１ａに軸受６０Ａ，６０Ｂを介して回転可能に支持された軸筒（回転軸筒）６２に設けられている。また、軸筒６２の先端部には、ベール６および釣糸案内部１５を備えたロータ８が一体的に取り付けられている。
【００１３】
ハンドル軸２と直交する方向に延在するスプール軸９が軸筒６２を貫通している。この場合、スプール軸９は、軸筒６２と同心的に配されており、ハンドル軸２と直交する方向に沿って前後動できる。また、スプール軸９の先端部には釣糸が巻回されるスプール１０が取り付けられている。
【００１４】
また、ハンドル軸２には、オシレーティング機構（往復動機構）６５の連動歯車６６と噛合する歯車６３が形成されている。オシレーティング機構６５は、いわゆるギヤ方式のものであり、歯車６３に噛み合ってこれと連動回転する連動歯車６６と、連動歯車６６に突設され且つ連動歯車６６の回転中心軸から偏心して位置する係合突起（係合部）６６ａと、スプール軸９の後端部にビス６９を介して取り付けられ且つ係合突起６６ａと係合するカム溝６７ａを有する摺動子（摺動体）６７と、摺動子６７と係合して摺動子６７の往復動を案内するガイドレール６８とを備えている。このようなオシレーティング機構６５は、ハンドル軸２がハンドル５の回転操作によって回転されると、ハンドル軸２上の歯車６３と噛み合う連動歯車６６が回転し、それに伴って、連動歯車６６の係合突起６６ａが回転するとともに、係合突起６６ａと係合するカム溝６７ａの案内によって摺動子６７が前後に往復動する。したがって、摺動子６７に取り付けられたスプール軸９が軸方向に沿って往復駆動（前後動）する。
【００１５】
以上の構成によれば、ハンドル５を回転操作してハンドル軸２を回転させると、オシレーティング機構６５を介してスプール軸９に取り付けられたスプール１０が前後に往復動するとともに、ドライブギア３、ピニオンギア１３、軸筒６２を介してロータ８が回転駆動する。したがって、スプール１０には、釣糸案内部１５を介して、釣糸が均等に巻回される。
【００１６】
また、リール本体１ａの後端壁部１ａ’には、ロータ８の逆回転（釣糸繰り出し方向の回転）を防止する周知の一方向クラッチ２０を備えた逆転防止機構の切換ロッド３０の端部が貫通しており、後端壁部１ａ’から外部に突出する切換ロッド３０の端部には、切換レバー３２が取り付けられている。また、一方向クラッチ２０は、軸筒６２に対して回り止め嵌合された内輪２１と、内輪２１の外側に配され且つ複数の転動部材Ｒを保持する保持器２７と、保持器２７の外側に配された外輪２５とを有している。
【００１７】
また、本実施形態において、ロータ８は、軸筒６２の先端に螺合される例えば六角ナット（締結部材）３０と一方向クラッチ２０の内輪２１との間で挟持固定されている。この場合、図２に詳しく示されるように、ナット３０の軸部の内周面には雌ネジ３０ａが形成されており、この雌ネジ３０ａを軸筒６２の先端部外周面に形成された雄ネジ６２ａに螺合させることより、ナット３０が軸筒６２に締結される。
【００１８】
六角ナット３０の頭部の外周面には、六角ナット３０の６つの辺にそれぞれ対応して、円弧状の凹部３９が形成されている。これらの凹部３９のうちの１つには、図１に示されるように、ロータ８に螺合されたネジ部材４０の頭部４０ａが係合するようになっている。したがって、ナット３０の回転は、ネジ部材４０の頭部４０ａにより防止される。
【００１９】
また、六角ナット３０の頭部の内周面には、凹環状の収容溝３０ｂが形成されている。この収容溝３０ｂ内には、カラー３２を介してスプール軸９を回転可能に支持するころがり軸受３４が収容されている。
【００２０】
また、収容溝３０ｂからの軸受３４の抜けを防止するために、ナット３０には、係止部材４５が弾性的に装着固定されている。係止部材４５は、例えば板状の金属や硬質樹脂等の材料によって形成される円板状のカバー体から成り、ナット３０の六角形状にほぼ内接するような大きさを有している。そのため、係止部材４５の外周には、凹部３９と対応する複数の部位に、凹部３９の円弧の曲率半径と略同じ円弧を成す凹部４５ｃが形成されている。
【００２１】
また、係止部材４５は、スプール軸９を挿通させるための開口部５１を有している。この開口部５１は、その端縁が軸受３４の例えば外輪に当接する大きさで開口している。また、係止部材４５の外周には、複数の箇所（本実施形態では、３箇所）に、弾性係止部４５ａが軸方向に突出形成されている。これらの弾性係止部４５ａは、例えば係止部材４５の周方向に等しい角度間隔（本実施形態では、１２０度の角度間隔）をもって離間しており、ナット３０の頭部の外周面に形成された凹環状の周溝４７に弾性的に且つ係脱自在に係止している。この場合、弾性係止部４５ａは、その端部の径方向に折れ曲がった係止片４５ｂが周溝４７の段部４９に弾性的に突き当てられることにより、ナット３０に係止される。
【００２２】
なお、本実施形態において、係止部材４５は、その全体が弾性材料によって形成されている必要はなく、弾性的に装着される形態であれば、どのような材料によって形成されていても良く、要は、少なくとも弾性係止部４５ａが弾性材料によって形成されていれば良い。
【００２３】
以上説明したように、本実施形態では、締結部材としてのナット３０に弾性的に装着固定される係止部材４５によって、スプール軸９を回転可能に支持する軸受３４がナット３０に抜け止めされている。すなわち、軸受３４は、ロータ８を軸筒６２に固定するナット３０に対して、ネジを使用することなく装着固定されて一体化されている。そのため、ネジおよびネジ止め工程が不要となり、組み立てが容易になるとともに、作業性が向上する。また、それに伴って製造コストの低減も可能になる。更に、ネジの配置に伴うナット３０の大型化を防止でき（ナット３０のコンパクト化が可能になり）、ひいては、リールの小型化を図ることができる。
【００２４】
図５〜図７は本発明の第２の実施形態を示している。なお、本実施形態において、第１の実施形態と共通する構成部分については、以下、同一符号を付して、その説明を省略する。
【００２５】
これらの図に示されるように、本実施形態では、ナット３０の外周に、係止部材４５の弾性係止部４５ａが嵌入する凹部７０が形成されている。この凹部７０は、各周溝４７に対応して設けられており、ナット３０の外周面を凹状に切り欠くようにして軸方向に延びて周溝４７に連なっている。なお、それ以外の構成は第１の実施形態と同一である。
【００２６】
このように、本実施形態において、ナット３０の外周には、係止部材４５の弾性係止部４５ａが嵌入する凹部７０が軸方向に形成されているため、係止部材４５は、ナット３０の六角形状にほぼ内接する大きさを有している必要はなく、したがって、係止部材４５を小型化でき、ナット３０に対する係止部材４５の取付スペースを小さくすることができる。また、軸方向に延びる凹部７０の存在により、係止部材４５をナット３０に対して軸方向に押し付けるワンタッチ操作だけで係止片４５ｂを周溝４７の段部４９に弾性的に係止させることもできるため、ナット３０に対する係止部材４５の嵌め込み性（取付性）が良好となる。また、係止部材４５がナット３０の外周に突出しないため、工具等によるナット３０の外周を挟着しての締付性も向上する。
【００２７】
図８および図９は本発明の第３の実施形態を示している。なお、本実施形態において、第１の実施形態と共通する構成部分については、以下、同一符号を付して、その説明を省略する。
【００２８】
図示のように、本実施形態のナット３０の外周部には、例えば左右対称な２箇所に、軸方向に貫通する円形の係止孔７２が形成されている。  各係止孔７２は、係止部材４５Ａと面する側から順に形成された小径孔７２ａと大径孔７２ｂとから成る。
【００２９】
一方、本実施形態の係止部材４５Ａの外周部には、各係止孔７２に対応する対称な２箇所に、軸方向に突出する板状の突出部７５が形成されている。この突出部７５は、スリ割り７６を介して二股に分かれて２つの係止片７７ａ，７７ｂを形成している。これらの係止片７７ａ，７７ｂは、小径孔７２ａに嵌合する軸部７９と、軸部７９よりも幅広で且つ軸部７９との間に段差部７８を形成して大径孔７２ｂ内に突出する係止部８９とからなり、段差部７８を介して小径孔７２ａと大径孔７２ｂとの境界を成す段部に弾性的に係止する（各係止孔７２に弾性的に係止される）弾性係止部を形成している。
【００３０】
このような構成では、係止部材４５Ａをナット３０に対して軸方向に押し付けると、突出部７５の係合部８９が係止孔７２の小径孔７２ａに挿入され、スリ割り７６を介して係止片７７ａ，７７ｂ同士が近接するように突出部７５が弾性的に収縮変形する。そして、小径孔７２ａと大径孔７２ｂとの段部を段差部７８が乗り越えた時点で、小径孔７２ａによる係合部８９への収縮作用が解放されるため、突出部７５が元の形状に弾性的に復帰し、段差部７８が前記段部に弾性的に係止する。
【００３１】
以上のように、本実施形態においても、ナット３０の内側に係止孔７２が形成され、この係止孔７２に係止部材４５Ａの突出部７５が係止されるようになっているため、係止部材４５Ａは、ナット３０の六角形状にほぼ内接する大きさを有している必要はなく、したがって、係止部材４５Ａを小型化でき、ナット３０に対する係止部材４５Ａの取付スペースを小さくすることができる。また、軸方向に延びる係止孔７２の存在により、係止部材４５Ａをナット３０に対して軸方向に押し付けるワンタッチ操作だけで係止片７７ａ，７７ｂを係止孔７２の段部に弾性的に係止させることもできるため、ナット３０に対する係止部材４５Ａの嵌め込み性（取付性）が良好となる。
【００３２】
図１０および図１１は本発明の第４の実施形態を示している。なお、本実施形態において、第３の実施形態と共通する構成部分については、以下、同一符号を付して、その説明を省略する。
【００３３】
図示のように、本実施形態の係止部材４５Ｂの外周部には、各係止孔７２に対応する対称な２箇所に、軸方向に突出する弾性係止部９０が形成されている。また、各弾性係止部９０の端部には、係止孔７２の段部に係止するように径方向外側に折れ曲がる係止段部９０ａが形成されている。したがって、このような構成によっても、第３の実施形態と同様の作用効果を得ることができる。
【００３４】
【発明の効果】
以上説明したように、本発明の魚釣用スピニングリールによれば、締結部材に弾性的に装着固定される係止部材によって、スプール軸を回転可能に支持する軸受が締結部材に抜け止めされている。すなわち、軸受は、ロータを軸筒に固定する締結部材に対して、ネジを使用することなく装着固定されて一体化されている。そのため、ネジおよびネジ止め工程が不要となり、組み立てが容易になるとともに、作業性が向上する。また、それに伴って製造コストの低減も可能になる。更に、ネジの配置に伴う締結部材の大型化を防止でき（締結部材のコンパクト化が可能になり）、ひいては、リールの小型化を図ることができる。
【図面の簡単な説明】
【図１】本発明の第１の実施形態に係る魚釣用スピニングリールの側断面図である。
【図２】ロータを軸筒に固定するための締結部材に対して軸受と係止部材とを組み込んだ状態を示す断面図である。
【図３】図２のＡ方向矢視図である。
【図４】図２の締結部材から軸受と係止部材とを分解した状態を示す断面図である。
【図５】本発明の第２の実施形態に係わり、ロータを軸筒に固定するための締結部材に対して軸受と係止部材とを組み込んだ状態を示す断面図である。
【図６】図５のＢ方向矢視図である。
【図７】図５の締結部材から軸受と係止部材とを分解した状態を示す断面図である。
【図８】本発明の第３の実施形態に係わり、ロータを軸筒に固定するための締結部材に対して軸受と係止部材とを組み込んだ状態を示す正面図である。
【図９】図８のＣ−Ｃ線に沿う断面図である。
【図１０】本発明の第４の実施形態に係わり、ロータを軸筒に固定するための締結部材に対して軸受と係止部材とを組み込んだ状態を示す正面図である。
【図１１】図１０のＤ−Ｄ線に沿う断面図である。
【符号の説明】
１…魚釣用スピニングリール
１ａ…リール本体
５…ハンドル
８…ロータ
９…スプール軸
１０…スプール
１３…ピニオン
１５…釣糸案内部
３０…締結部材
３４…軸受
４５…係止部材
６２…軸筒（回転軸筒）
【図１】
2004222579.tif 000003
【図２】
2004222579.tif 000004
【図３】
2004222579.tif 000005
【図４】
2004222579.tif 000006
【図５】
2004222579.tif 000007
【図６】
2004222579.tif 000008
【図７】
2004222579.tif 000009
【図８】
2004222579.tif 000010
【図９】
2004222579.tif 000011
【図１０】
2004222579.tif 000012
【図１１】
2004222579.tif 000013